(57)【要約】【目的】簡易構造にして容易に製造することができ、ホースの接続に用いて好適なスイベル管継手を提供する。【構成】一端がジョイント部１５とされる筒状体１と、一端がジョイント部２１とされる筒状体２とを有し、その筒状体１，２が中間筒状体３を介してジョイント部１５，２１を外向きにした状態で連結されるスイベル管継手である。筒状体１は、中間筒状体３の内部に回転自在に挿入される中空軸部１１と該中空軸部より外径の大きいヘッド部１２とを形成し、ヘッド部１２と中空軸部１１との段差部分１６が中間筒状体３の一端縁に摺接されると共に、中空軸部１１の外周部には中間筒状体３の他の一端縁に摺接される着脱可能な係止部材４が突設される。中間筒状体３の外周部には雄ネジ部３１が形成され、筒状体２の一端内周部には中間筒状体３の雄ネジ部３１と螺合する雌ネジ部２２が形成される。【選択図】図１
0003103329.tif 000002
【実用新案登録請求の範囲】
【請求項１】
一端が第１ジョイント部とされる第１筒状体と、一端が第２ジョイント部とされる第２筒状体とを有し、その第１筒状体と第２筒状体が中間筒状体を介して前記第１ジョイント部と第２ジョイント部を外向きにした状態で連結されるスイベル管継手であって、前記第１筒状体は、中間筒状体の内部に回転自在に挿入される中空軸部と該中空軸部より外径の大きいヘッド部とを形成し、そのヘッド部と中空軸部との段差部分が前記中間筒状体の一端縁に摺接されると共に、前記中空軸部の外周部には前記中間筒状体の他の一端縁に摺接される着脱可能な係止部材が突設されることを特徴とするスイベル管継手。
【請求項２】
中間筒状体の外周部に雄ネジ部が形成されると共に、第２ジョイント部の逆側で第２筒状体の一端内周部に中間筒状体の雄ネジ部と螺合する雌ネジ部が形成される請求項１記載のスイベル管継手。
【請求項３】
第２筒状体には、該第２筒状体と中間筒状体との相対的な回転を阻止するロック部材をねじ込むためのネジ孔が形成される請求項１、又は２記載のスイベル管継手。
【請求項４】
第１ジョイント部が第１筒状体の一端に雄ネジ又は雌ネジを切って成り、更に第２ジョイント部が第２筒状体の一端に雄ネジ又は雌ネジを切って成る請求項１〜３の何れか一項に記載のスイベル管継手。
【請求項５】
中間筒状体と第１筒状体との間および前記中間筒状体と第２筒状体との間に、それぞれシールリングが介在される請求項１〜４の何れか一項に記載のスイベル管継手。
【考案の詳細な説明】
【技術分野】
【０００１】
本考案はホースすなわち可撓管の接続に用いて好適な回転形の管継手に係わり、特にホースの中間に介在させてホースの捩れを防止することのできる簡易構造のスイベル管継手に関する。
【背景技術】
【０００２】
管継手には、接続方式、形状、材質によって多くの種類があるが、管と管を永久的に固定する永久継手と、着脱可能な取り外し継手に大別される。永久継手は２つの管を溶接するなどして接合するもので、取り外しの必要がない場合や高圧管などで使用される。
【０００３】
一方、取り外し継手は２つの管を接合することも切り離すこともできる管継手であり、これにはフランジ形管継手、印籠管継手、ねじ込み管継手などがある。
【０００４】
しかし、その多くは管端に加工を施して管同士を堅固に結合するものであるから、接続した管を回転させたり旋回させたりすることはできない。尚、接続管の回転動作や旋回動作が可能な管継手としては、転がり軸受を内蔵して定速での連続回転が行われる回転管継手（ロータリジョイント）や、接続管の回転旋回動作を必要に応じて行うことのできるスイベル管継手（スイベルジョイント）がある。
【０００５】
このうち、スイベル管継手として、一端に半球状のフレア部（ボール）を形成したベンド状の部材と、そのフレア部を収容するソケット状の部材とを有し、その両部材をフレア部の外側表面に接触するシール材を介してナットで連結したものが知られる（例えば、特許文献１）。
【０００６】
又、管状の雄部材とその一端が差し込まれる雌部材との間に環状のベアリングレースを複数条形成し、その各ベアリングレースにボールベアリングを収容したスイベル管継手が知られる（例えば、特許文献１）。
【０００７】
【特許文献１】実公平７−４６８５９号公報（第４図）
【０００８】
【特許文献２】特表平１０−５０２１５６号公報
【考案の開示】
【考案が解決しようとする課題】
【０００９】
然し、従来のスイベル管継手は製造が難しく、特許文献１に開示されるものでは構成部材の一端に半球状のフレア部を形成したり、そのフレア部をシール材に密着させるためにバネを内蔵する必要がある。しかも、そのバネによりシール材とフレア部の密着状態を保つために軸方向の外力が作用したときにシール性能が失われて流体が漏出するという欠点がある。
【００１０】
又、特許文献２に開示されるようなスイベル管継手によれば、ボールベアリングを介して雄部材と雌部材とを結合するために円滑な回転動作が可能であるものの、雄部材と雌部材の双方に断面半円形のレースを形成したり、多数のボールベアリングを用いてこれをレース内に一つずつ導入しなければならないという欠点がある。
【００１１】
尚、ホースの接続にはカップリングが多用されるが、係るカップリングは雌部材の内部に鋼球を環状に配し、その各鋼球を内方に押し出すスリーブを軸方向に摺動可能に設ける一方、雄部材には鋼球を受け入れる環状の溝を形成することから、スリーブのスライド操作により雄部材と雌部材の着脱を容易に行えるという利点はあるものの、構造が複雑でコスト高になるという欠点があった。
【００１２】
本考案は以上のような事情に鑑みて成されたものであり、その目的は簡易構造にして容易に製造することのできるスイベル管継手を提供することにある。
【課題を解決するための手段】
【００１３】
本考案は上記目的を達成するため、一端が第１ジョイント部とされる第１筒状体と、一端が第２ジョイント部とされる第２筒状体とを有し、その第１筒状体と第２筒状体が中間筒状体を介して前記第１ジョイント部と第２ジョイント部を外向きにした状態で連結されるスイベル管継手であって、前記第１筒状体は、中間筒状体の内部に回転自在に挿入される中空軸部と該中空軸部より外径の大きいヘッド部とを形成し、そのヘッド部と中空軸部との段差部分が前記中間筒状体の一端縁に摺接されると共に、前記中空軸部の外周部には前記中間筒状体の他の一端縁に摺接される着脱可能な係止部材が突設されることを特徴とする。
【００１４】
又、以上のようなスイベル管継手において、中間筒状体の外周部に雄ネジ部が形成されると共に、第２ジョイント部の逆側で第２筒状体の一端内周部に中間筒状体の雄ネジ部と螺合する雌ネジ部が形成されること、並びに第２筒状体には、該第２筒状体と中間筒状体との相対的な回転を阻止するロック部材をねじ込むためのネジ孔が形成されることを特徴とする。
【００１５】
更に、第１ジョイント部が第１筒状体の一端に雄ネジ又は雌ネジを切って成り、更に第２ジョイント部が第２筒状体の一端に雄ネジ又は雌ネジを切って成ることを特徴とし、しかも中間筒状体と第１筒状体との間および前記中間筒状体と第２筒状体との間に、それぞれシールリングが介在されることを特徴とする。
【考案の効果】
【００１６】
本考案のスイベル管継手によれば、第１筒状体が中間筒状体の内部に回転自在に挿入される中空軸部と該中空軸部より外径の大きいヘッド部とを形成し、そのヘッド部と中空軸部との段差部分が中間筒状体の一端縁に摺接されると共に、中空軸部の外周部には中間筒状体の他の一端縁に摺接される係止部材が突設されることから、第１筒状体と中間筒状体との相対的な回転運動が可能であり、しかも係止部材が着脱可能であるから組立や分解を容易に行うことができ、更には第１筒状体と第２筒状体が中間筒状体を介して第１ジョイント部と第２ジョイント部を外向きにした状態で連結されることから、両ジョイント部にニップルを介するなどしてホースを接続することにより、長尺なホースでも流体の流通性を損なう捩れを防止でき、捩れを生じた場合でも第１筒状体と中間筒状体とを相対的に回転させることにより捩れを容易に解消することができる。
【００１７】
更に、中間筒状体と第２筒状体がネジ結合される構成であるから、簡易な結合形態にして両者の結合を容易に行うことができ、しかも第２筒状体には中間筒状体との相対的な回転を阻止するロック部材をねじ込むためのネジ孔が形成されることから、第２筒状体と中間筒状体を一体化して両者が不用意に分離することを防止できる。
【００１８】
又、中間筒状体を共通部品として、第１筒状体と第２筒状体をジョイント部の形態が異なるものに交換することができ、その交換により様々な管の接続に対応可能であり、更には中間筒状体と第１筒状体との間および中間筒状体と第２筒状体との間にシールリングが介在されることから、高いシール性能を有して高圧な流体の漏出も防止できる。
【考案を実施するための最良の形態】
【００１９】
以下、本考案のスイベル管継手を図面に基づいて詳しく説明する。図１は係るスイベル管継手の好適な形態を示した斜視分解図である。図１において、１は第１筒状体、２は第２筒状体であり、その両筒状体１，２は中間筒状体３を介して直列状に連結される。
【００２０】
筒状体１は、中間筒状体３の内径より僅かに小さい外径をもつ円筒形の中空軸部１１と、該中空軸部より外径の大きい中空のヘッド部１２とを形成する二段構造の雄部材であり、その中空軸部１１が中間筒状体３の内部に回転自在にして挿入される構成としてある。
【００２１】
特に、図１および図２から明らかなように、中空軸部１１の外周部にはその一端側で幅狭の環状溝１３が形成され、その環状溝１３とヘッド部１２との間には幅広な２条の環状溝１４が形成される。そして、幅狭な環状溝１３には係止部材４が装着され、幅広な環状溝１４にはシールリング５（Ｏリング）が嵌め込まれる。又、中空軸部１１の逆側で筒状体１の一端は、ヘッド部１２の内周部に所定ピッチの雌ネジを切って成る第１ジョイント部１５とされ、このジョイント部１５に後述する管部材をネジ結合できるようにしてある。尚、ヘッド部１２は、ジョイント部１５への管部材の結合に際してスパナなどの工具による締め付けを行えるように外周面が六角形とされる。
【００２２】
一方、図１および図３に示すように、筒状体２の一端はその内周部に所定ピッチの雌ネジを切って成る第２ジョイント部２１とされ、このジョイント部２１にも後述する管部材をネジ結合できるようにしてある。又、筒状体２の他の一端にはジョイント部２１とは別の雌ネジ部２２が形成され、その雌ネジ部２２により中間筒状体３との結合が可能とされる。
【００２３】
つまり、中間筒状体３の外周部には筒状体の雌ネジ部２２と螺合する雄ネジ部３１が形成され、その雄ネジ部３１と雌ネジ部２２との螺合により、筒状体２と中間筒状体３の両者が結合される構成としてある。尚、その結合をスパナなどの工具を用いて強固に行えるように、筒状体２はその全長に亙って外周面が六角形状とされると共に、中間筒状体３にも雄ネジ部３１に隣接して一端外周部に六角形状の鍔部３２が形成される。
【００２４】
特に、筒状体２の雌ネジ部２２側の一端外周部にはその内外を貫通するネジ孔２３が穿設され、そのネジ孔２３にねじ込まれるロック部材６（ビス）の先端が中間筒状体３の外周部に圧着することにより、ネジ結合した筒状体２と中間筒状体３との相対的な回転が阻止されるようにしてある。このため、流体の流通時に雌ネジ部２２と雄ネジ部３１が緩んで中間筒状体３から筒状体２が外れることを防止できる。
【００２５】
又、図１および図４に示すように、中間筒状体３の一端外周部にも環状溝３３が形成され、その環状溝３３にゴム状弾性体から成るＯリングなどのシールリング７が嵌め込まれるようになっている。因みに、環状溝１４，３３はシールリング５，７を嵌め込むものであるから、特許文献２のボールベアリングを収容するレースのように加工精度は要らず、しかも何れも環状溝１４，３３も筒状体１と中間筒状体３の外周部に形成されるので加工が容易である。
【００２６】
次に、図５は各筒状体１〜３を連結した状態を示す。この図から明らかなように、筒状体１の中空軸部１１は中間筒状体３より稍長く、その一端外周部に突設される係止部材４が中間筒状体３の一端縁に摺接状態で密着し、中間筒状体３の他の一端縁には中空軸部１１とヘッド部１２との段差部分１６が摺接状態で密着するようになっている。このため、筒状体１は軸方向の移動を規制されてがたつかず、中間筒状体３に対して３６０度の回転動作のみを許容される。尚、本例において係止部材４は環状溝１３に嵌められるＣ字形のスナップリングであるが、係る係止部材４に金属リングを用いて、これを中空軸部１１の外周部にネジ留めするなどしてもよい。
【００２７】
又、図５のように、筒状体１の外周部に設けたシールリング５は、中間筒状体３の内周面に摺動自在に密着して筒状体１と中間筒状体３との間にシール性を付与し、中間筒状体３の外周部に設けたシールリング７は、筒状体３の内周面に摺動自在に密着して中間筒状体３と筒状体２との間にシール性を付与するが、それらシールリング５，７は省略することもできる。つまり、内部に流通せしめる流体が低圧であれば、係止部材４にシール性を持たせて筒状体１と中間筒状体３との間から流体が漏れ出すことを防止でき、中間筒状体３と筒状体２との間は雄ネジ部３１と雌ネジ部２２の密着により、ある程度のシール性を確保できる。
【００２８】
ここで、筒状体１，２はジョイント部１５，２１を外向きにした状態に連結されてストレート状のスイベル管継手を構成するが、係るスイベル管継手の両端ジョイント部１５，２１には、管部材として例えば図６に示すような公知のホースニップル８が接続され、そのホースニップル８にゴムホース９などが接続される。
【００２９】
これによれば、係るスイベル管継手がホース９の途中に介在されるために、長尺なホースでも筒状体１と中間筒状体３（筒状体２）との相対的な回転運動により捩れを防止され、捩れを生じた場合でも筒状体１と中間筒状体３（筒状体２）とを相対的に回転させることによりホースの捩れを容易に解消することができる。このため、流体をせき止めることなく円滑に流通させることができる。
【００３０】
以上、本考案に係るスイベル管継手の好適な態様を説明したが、その使用態様としてジョイント部１５，２１にホースニップル８を介してホース９を接続するのでなく、それらジョイント部１５，２１に長尺な剛性管を直結することもできる。又、ジョイント部１５，２１は上記例のように筒状体１，２の各一端に雌ネジを切って形成するほか、それらを図７に示すような雄ネジタイプ１５Ａ，２１Ａにしてもよい。又、図８のように一方のジョイント部を雌ネジタイプ１５とし、他方のジョイント部を雄ネジタイプ２１Ａとすることもできる。更に、ジョイント部をネジが切られていない筒として、その外周部にホースを差し込む方式とすることもできる。
【００３１】
特に、ジョイント部の外径や内径が異なる数種類の筒状体１，２を取り揃え、中間筒状体３を共通部品として筒状体１，２を適宜交換することにより、様々な管の接続に対応することができる。
【図面の簡単な説明】
【００３２】
【図１】本考案に係るスイベル管継手を示す斜視分解図
【図２】第１筒状体の縦断面図
【図３】第２筒状体の縦断面図
【図４】中間筒状体の縦断面図
【図５】本考案に係るスイベル管継手の内部構造を示す組立完成図
【図６】両端ジョイント部に接続する管部材を示す説明図
【図７】本考案に係るスイベル管継手の変形例を示す説明図
【図８】本考案に係るスイベル管継手の変形例を示す説明図
【符号の説明】
【００３３】
１  第１筒状体
１１  中空軸部
１２  ヘッド部
１５  第１ジョイント部
２  第２筒状体
２１  第２ジョイント部
２２  雌ネジ部
２３  ネジ孔
３  中間筒状体
３１  雄ネジ部
５，７  シールリング（Ｏリング）
４  係止部材（スナップリング）
６  ロック部材
【図１】
0003103329.tif 000003
【図２】
0003103329.tif 000004
【図３】
0003103329.tif 000005
【図４】
0003103329.tif 000006
【図５】
0003103329.tif 000007
【図６】
0003103329.tif 000008
【図７】
0003103329.tif 000009
【図８】
0003103329.tif 000010